(57)【要約】【課題】  本発明は、揚水井戸のケーシングパイプ内に、揚水用ポンプに加えて、揚水井戸内の地下水熱を熱源として採熱管によって熱を取り入れる熱交換器とを容易に組み付け・取り外しすることができ、安価でしかも耐久性に優れた揚水井戸内熱交換装置を提供することを目的とする。【解決手段】  揚水井戸１のケーシングパイプ２内に揚水ポンプ４と、熱交換器５と、を配設し、熱交換器５は、熱媒体Ｈを流入するための流入用採熱管６と、熱媒体Ｈを流出するための流出用採熱管７と、流入用採熱管６と流出用採熱管７との下端側をそれぞれ連通するように設けた流路変換用ヘッダー部８と、によって形成され、揚水管３の下端部は、前記ヘッダー部８に貫通して配設され、その揚水管３の下端部側において、その上部側３０にて前記ヘッダー部８を支持し、その下部側３１にて揚水ポンプ４を吊り下げ支持してなることを特徴とする揚水井戸内熱交換装置。【選択図】図１
2020046169.tif 000002
【特許請求の範囲】
【請求項１】
揚水井戸のケーシングパイプ内に配設され地下帯水層の地下水を揚水管によって汲み上げる揚水ポンプと、前記ケーシングパイプ内に配設されて地下水熱との熱交換が行われる熱交換器と、を備えた揚水井戸内熱交換装置において、
前記熱交換器は、前記ケーシングパイプの上端側開口部から熱媒体を流入するための流入用採熱管と、前記ケーシングパイプの上端側開口部へと熱媒体を流出するための流出用採熱管と、前記流入用採熱管と前記流出用採熱管との下端側がそれぞれ連通するように設けられた流路変換用ヘッダー部と、によって形成され、前記揚水管の下端部側は、実質的に前記流路変換用ヘッダー部に貫通して配設されるとともに、前記揚水管の下端部側において、その上部側にて前記流路変換用ヘッダー部を保持し、その下部側にて前記揚水ポンプを吊り下げ支持してなることを特徴とする揚水井戸内熱交換装置。
【請求項２】
前記揚水管の下端部側は、上部側と下部側とに分割形成され、前記揚水管の上部側と前記流路変換用ヘッダー部の上部側とを連結固定することにより、前記揚水管の上部側にて前記流路変換用ヘッダー部を保持し、前記揚水管の下部側と前記流路変換用ヘッダー部の下部側とを連結固定することにより、前記揚水管の下部側にて前記揚水ポンプを吊り下げ支持してなることを特徴とする揚水井戸内熱交換装置である。
【請求項３】
前記流路変換用ヘッダー部に連通される前記流入用採熱管と前記流出用採熱管とを複数個それぞれ設けるとともに、前記ケーシングパイプ内に配設されて地下水熱との熱交換が行われるようにそれぞれ指定（設定）した単一の前記流入用採熱管と前記流出用採熱管とを一対とする熱媒体の流路を形成してなることを特徴とする請求項１または請求項２に記載の揚水井戸内熱交換装置。
【請求項４】
前記流路変換用ヘッダー部に連通される前記流入用採熱管の下端部を前記流路変換用ヘッダー部の内部側に突き出し配設してなることを特徴とする請求項１から請求項３のいずれか１項に記載の揚水井戸内熱交換装置。
【請求項５】
前記流路変換用ヘッダー部の下端部に設置される前記揚水ポンプを前記ケーシングパイプの軸芯位置に沿うように配置するとともに、前記揚水管も前記ケーシングパイプの軸芯位置に沿うように配置してなることを特徴とする請求項１から請求項４のいずれか１項に記載の揚水井戸内熱交換装置。
【請求項６】
径小なる前記ケーシングパイプ内に配設される前記揚水ポンプを前記ケーシングパイプの軸芯位置に沿うように配置するとともに、前記揚水管を前記ケーシングパイプの軸芯位置から外れた箇所に設置してなることを特徴とする請求項１から請求項５のいずれか１項に記載の揚水井戸内熱交換装置。
【発明の詳細な説明】
【技術分野】
【０００１】  本発明は、地下水熱利用システムに係り、特に、揚水井戸の地下帯水層に流れる地下水の水を汲み上げる揚水ポンプと、揚水井戸の地下水熱の熱交換が行われる熱交換器と、を備えた揚水井戸内熱交換装置の改良構造に関するものである。
【背景技術】
【０００２】  従来のこの種の揚水井戸内熱交換装置としては、特許文献１から特許文献３などに開示されているように、揚水井戸内に設けられた地下水を汲み上げる揚水用ポンプに加えて、揚水井戸内の地下水熱を熱源として採熱管によってその熱を取り入れる熱交換器とを備えてなる揚水井戸内熱交換装置が知られている。
【先行技術文献】
【特許文献】
【０００３】
【特許文献１】特開２０１５−５２２５９号公報
【特許文献２】特開２００９−２５９５号公報
【特許文献３】特開２００９−８３４２号公報
【発明の概要】
【発明が解決しようとする課題】
【０００４】  ところで、前述の特許文献１においては、ストレーナパイプを底部側に接続したケーシングパイプからなる井戸パイプの外側に媒体液循環パイプを固定バンドで固定し、井戸パイプとともに媒体液循環パイプを揚水井戸である掘削井戸の孔内に設置している。そして揚水井戸である掘削井戸の孔内に設置され、井戸パイプ内に配置した水中ポンプで揚水した地下水は地上で種々な用水として使用することができるとともに、揚水井戸である掘削井戸の孔内に設置され、井戸パイプの外側に設置した媒体液循環パイプからなる熱交換器により地下水を熱変換することができ、この地下水熱を熱源としている融雪装置や冷暖房装置などの各種の装置を稼動することができるという効果が得られる反面、揚水井戸のメンテナンス（保守点検）や揚水井戸内の部品交換などを行う場合、井戸パイプの外側に熱交換を行うための媒体液循環パイプが配設されているため、それぞれのパイプを揚水井戸である掘削井戸の孔内から引き上げて分解する必要があり、この際に、掘削井戸の孔と各パイプとの隙間に介在する土や充填砂利などによってパイプや留め具などを傷めてしまう虞があり厄介な作業を強いられるという問題がある。【０００５】  また、特許文献２においては、揚水井戸である掘削井戸の孔内に井戸ケーシングを配設し、この井戸ケーシングの内部に井戸ポンプを収納して配置するとともに、揚水井戸である掘削井戸の孔内と井戸ケーシングの外壁との間の集熱空間には熱交換器となる集熱パイプが設置され、集熱パイプは集熱空間を横断するように地表から井戸底部へ直線的に向かい、井戸底部付近で井戸ケーシングを横断して反対側に突き出し、さらに掘削孔と筒状の井戸ケーシングのとの間の集熱空間を井戸底部付近から地表に直線的に向かうＵ字状に設置されているため、前述した特許文献１と同様にして、井戸ケーシングの外周部にＵ字状の集熱パイプが固定されているため、部品交換を行う際や定期点検などを行う際に労力を要するものであり、同じような問題を抱えている。【０００６】  この点を考慮するものとして、特許文献３においては、地中の所定深度に存在している水脈に達するようにケーシングが挿設され、このケーシング内に地下水熱との交換が行われる熱媒体をケーシングの奥行き方向に向けて流通させる往路用配管と熱媒体をケーシングの奥行き方向から地表に向けて流通させる復路用配管および各配管の下端部に熱媒体を合流するタンクを備えた熱交換器が挿設されるとともに、熱交換器の軸芯に沿ってケーシング内の筒方向に形成される内側通路を通してケーシング内における適宜の深度位置に水中ポンプが吊り下げ部材を介して吊り下げ支持されるように形成されている。このようにケーシング内に熱交換器と水中ポンプとが配設されているため、熱交換器と水中ポンプとをケーシングの筒部に沿って取り外し作業や取り付け作業などを行うことができる。【０００７】  しかしながら、ケーシング内に配設される熱交換器の各構成部品と水中ポンプの各構成部品はそれぞれ独自に分離した状態にて組み付けられており、特に、熱交換器においては、地中の所定の深度に至るようにケーシングの底部側に配置される第１のユニットと、この第１のユニットから地表側に至る範���において接続されて配置される複数の第２のユニット、そして、この第２のユニットから地表に臨むケーシングの上側開口部に至る範囲において接続されて配置される第３のユニット、これらの各ユニットを順次に接続することで地表から地中深度の底部側に至る往路と、この底部側から地表に至る復路を備えて構成されており、各ユニットを形成する部品点数も多くなるため大型化しやすく、その組み立ても大変であり、また水深位置が深くなればなるほど、吊り下げ支持されているユニットの重量が嵩み、これによりさらなる取り付けのための強度なども考慮しなければならないという問題もある。【０００８】  そこで、本発明は、地下水を汲み上げる揚水用ポンプに加えて、揚水井戸内の地下水熱を熱源として採熱管によってその熱を取り入れる熱交換器とを揚水井戸のケーシングパイプ内に容易に取り付け作業や取り外し作業ができるとともに、比較的に簡単な構成手段によって達成することのできる揚水井戸内熱交換装置を提供することを目的とするものである。
【課題を解決するための手段】
【０００９】  本発明は前述した課題を解決するため、請求項１では、揚水井戸のケーシングパイプ内に配設され地下帯水層の地下水を揚水管によって汲み上げる揚水ポンプと、前記ケーシングパイプ内に配設されて地下水熱との熱交換が行われる熱交換器と、を備えた揚水井戸内熱交換装置において、前記熱交換器は、前記ケーシングパイプの上端側開口部から熱媒体を流入するための流入用採熱管と、前記ケーシングパイプの上端側開口部へと熱媒体を流出するための流出用採熱管と、前記流入用採熱管と前記流出用採熱管との下端側がそれぞれ連通するように設けられた流路変換用ヘッダー部と、によって形成され、前記揚水管の下端部側は、実質的に前記流路変換用ヘッダー部に貫通して配設されるとともに、前記揚水管の下端部側において、その上部側にて前記流路変換用ヘッダー部を保持し、その下部側にて前記揚水ポンプを吊り下げ支持してなることを特徴とする揚水井戸内熱交換装置である。
このように構成してなることにより、熱交換器の一部を構成する流路変換用ヘッダー部に流入用採熱管と流出用採熱管との下端部をそれぞれ連通するように設けることにより簡単に熱交換器を形成することができる。また揚水管の下端部側は、流路変換用ヘッダー部を介して実質的に貫通して配設されるとともに、貫通して配設された揚水管の下端部側において、その上部側にて流路変換用ヘッダー部を保持し、その下部側にて揚水ポンプを吊り下げ支持してなることにより、揚水管の下端部側にて熱交換器側と揚水ポンプ側とを一体化することが可能となり、この組み付け後において、揚水井戸のケーシングパイプ内に揚水ポンプと熱交換器とをセットすることができるため、取り付け、取り外しが容易であり、安価でしかも耐久性に優れた揚水井戸内熱交換装置を提供することができる。【００１０】  また請求項２では、請求項１に記載の揚水井戸内熱交換装置において、前記揚水管の下端部側は、上部側と下部側とに分割形成され、前記揚水管の上部側と前記流路変換用ヘッダー部の上部側とを連結固定することにより、前記揚水管の上部側にて揚水管の上部側と前記流路変換用ヘッダー部を保持し、前記揚水管の下部側と前記流路変換用ヘッダー部の下部側とを連結固定することにより、前記揚水管の下部側にて前記揚水ポンプを吊り下げ支持してなることを特徴とする揚水井戸内熱交換装置である。
このように構成してなることにより、揚水管の上部側と流路変換用ヘッダー部の上部側とを連結固定することにより熱変換器の流路変換用ヘッダー部が揚水管に固定支持され、揚水管の下部側と流路変換用ヘッダー部の下部側とを連結固定することにより、その下部側にて前記揚水ポンプを吊り下げ支持することができるものであり、これにより揚水ポンプと熱交換器との取り付け作業や取り外し作業を簡便に行うことができ、この組み付け時において、揚水井戸のケーシングパイプ内に揚水ポンプと熱交換器とを順次セットすることができるため安価でしかも耐久性に優れた揚水井戸内熱交換装置を提供することができるものであり、また組み付けのための部品点数を追加することもなく組み付け作業ができるためコストも抑えることができる。【００１１】  また請求項３では、請求項１または請求項２に記載の揚水井戸内熱交換装置において、前記流路変換用ヘッダー部に連通される前記流入用採熱管と前記流出用採熱管とを複数個それぞれ設けるとともに、前記ケーシングパイプ内に配設されて地下水熱との熱交換が行われるようにそれぞれ設定した単一の前記流入用採熱管と前記流出用採熱管とを一対とする熱媒体の流路を形成してなることを特徴とする揚水井戸内熱交換装置である。
このように構成してなることにより、一箇所に設けられた揚水井戸からケーシングパイプ内に配設されて地下水熱との熱交換が行われるようにそれぞれ設定した単一の流入用採熱管と流出用採熱管とを一対とする熱媒体の流路を形成してなることにより、それぞれ分岐させた状態にて指定した箇所のみを熱交換器を介して分配して熱媒体の熱を伝達することができるものであり、揚水井戸の許容範囲内にて効率よく有効に稼働することができる。【００１２】  また請求項４では、請求項１から請求項３のいずれか１項に記載の揚水井戸内熱交換装置において、前記流路変換用ヘッダー部に連通される前記流入用採熱管の下端部を前記流路変換用ヘッダー部の内部側に突き出し配設してなることを特徴とする揚水井戸内熱交換装置である。
このように構成してなることにより、特に初期の段階において使用する際、熱交換器の内部、特に流入用採熱管と流出用採熱管の内部に溜まりやすいエアーを抜く作業時において流入用採熱管の下端部側を流路変換用ヘッダー部の内部側に突き出し配設してなることにより、流入用採熱管に熱媒体を送り込むことによって熱媒体に混入しているエアーを流入用採熱管の下端部から熱媒体とともに押し出すことができ、この際、押し出されたエアーは流入用採熱管から流路変換用ヘッダー部の内部側へと熱媒体とともに押し出されるため、流路変換用ヘッダー部の上側へとエアーが浮き上がり、流出用採熱管を介してケーシングパイプの上端側開口部へと押し出されるものであり、これにより一連のエアー抜き作業を良好に行うことができる。【００１３】  また請求項５では、請求項１から請求項４のいずれか１項に記載の揚水井戸内熱交換装置において、前記流路変換用ヘッダー部の下端部に設置される前記揚水ポンプを前記ケーシングパイプの軸芯位置に沿うように配置するとともに、前記揚水管も前記ケーシングパイプの軸芯位置に沿うように配置してなることを特徴とする揚水井戸内熱交換装置である。
このように構成してなることにより、揚水ポンプから吸い上げられる地下水はケーシングパイプの中心位置に配置されているため、ほぼ均等に回りから吸入することができ安定した地下水の供給を行うことができるものであり、また揚水管もケーシングパイプの軸芯位置に沿うように配置してなることによりケーシングパイプ内において、流入用採熱管と流出用採熱管との配管を軸芯位置の領域を除いて自由に選択して配管することができる。【００１４】  また請求項６では、請求項１から請求項４のいずれか１項に記載の揚水井戸内熱交換装置において、径小なる前記ケーシングパイプ内に配設される前記揚水ポンプを前記ケーシングパイプの軸芯位置に沿うように配置するとともに、前記揚水管を前記ケーシングパイプの軸心位置から外れた箇所に設置してなることを特徴とする揚水井戸内熱交換装置である。
このように構成してなることにより、揚水ポンプから吸い上げられる地下水はケーシングパイプの中心位置に配置されているため、ほぼ均等に揚水ポンプの回りから吸入することができ安定した地下水の供給を行うことができるものであり、また小型軽量化をねらいとした場合、ケーシングパイプの外径寸法を小さく設定した際に、ケーシングパイプの軸芯位置から外れた箇所であるケーシングパイプの内壁に沿うように揚水管を配置するとともに、ケーシングパイプの内部の残りスペースにて流入用採熱管と流出用採熱管とを配設することにより、小型軽量化を達成することができる。
【発明の効果】
【００１５】  上述したように本発明は、地下水を汲み上げる揚水用ポンプに加えて、揚水井戸内の地下水熱を熱源として採熱管によってその熱を取り入れる熱交換器とを揚水井戸のケーシングパイプ内に容易に取り付け作業や取り外し作業ができるとともに、比較的に簡単な構成手段によって達成することのできる揚水井戸内熱交換装置を提供することができ、これにより初期の目的を達成することができる。
【図面の簡単な説明】
【００１６】
【図１】  図１は、本発明の第一の実施形態に係る揚水井戸内熱交換装置の全体概要図。
【図２】  図２は、図１のＡ−Ａ線箇所の熱交換器を示す断面図。
【図３】  図３は、図１の熱交換器と揚水ポンプを主体に表した斜視図。
【図４】  図４は、図１の熱交換器と揚水ポンプとを揚水管に取り付けた状態を示す概要図。
【図５】  図５は、図４の揚水管との熱交換器との組み付け状態前を示す概要図。
【図６】  図６（Ａ），（Ｂ），（Ｃ）は、第一の実施形態における熱交換器の変形例を示す側面図。
【図７】  図７は、本発明の第二の実施形態に係る揚水井戸内熱交換装置の全体概要図。
【図８】  図８は、図７のＡ−Ａ線箇所の熱交換器を示す断面図。
【図９】  図９は、図７の熱交換器と揚水ポンプを主体に表した斜視図。
【図１０】  図１０は、図７の熱交換器と揚水ポンプを主体に表した斜視図。
【図１１】  図１１は、図７の熱交換器と揚水ポンプとを揚水管に取り付けた状態を示す概要断面図。
【図１２】  図１２は、図１１の揚水管と揚水ポンプとの組み付け状態前を示す熱交換器の概要断面図。
【図１３】  図１３は、図１２の熱交換器の分解した状態を示す概要断面図。
【図１４】  図１４は、本発明の第四の実施形態に係る揚水井戸内熱交換装置の全体概要図。
【図１５】  図１５は、図１４のＡ−Ａ線箇所の熱交換器を示す断面図。
【図１６】  図１６は、図１４の熱交換器と揚水ポンプとの組み付け状態前を主体に表した概要図。
【図１７】  図１７は、図１６の揚水井戸内熱交換装置の組み付け状態を示す斜視図。
【図１８】  図１８は、図１４の熱交換器の流入用採熱管を主体に表した概要図。
【図１９】  図１９は、図１４の熱交換器の流出用採熱管を主体に表した概要図。
【発明を実施するための最良の形態】
【００１７】  以下本発明に係る揚水井戸内熱交換装置を、添付図面に基づいて説明する。図１から図６は本発明の第一の実施形態に係る揚水井戸内熱交換装置である。【００１８】  同図において、本実施形態における揚水井戸内熱交換装置は、揚水井戸１のケーシングパイプ２内に配設され地下帯水層の地下水Ｗを揚水管３によって汲み上げる揚水ポンプ４に加えて、前記ケーシングパイプ２内に配設されて地下水熱との熱交換が行われる熱交換器５と、を備えている。【００１９】  熱交換器５は、ケーシングパイプ２の上端側開口部から熱媒体Ｈを流入するための流入用採熱管６と、ケーシングパイプ２の上端側開口部へと熱媒体Ｈを流出するための流出用採熱管７と、流入用採熱管６と流出用採熱管７との下端側がそれぞれ連通するように設けられた流路変換用ヘッダー部８と、によって形成されている。この際、流入用採熱管６と流出用採熱管７との間には、採熱配管９を介して熱媒体Ｈを各採熱管６，７内に循環するための地下水熱集熱用循環ポンプＰが接続されている。なお、本実施形態における流入用採熱管６と流出用採熱管７は柔軟性を有する合成樹脂製のチューブにて形成されている。【００２０】  また揚水管３の下端部側は、実質的に熱交換器５の流路変換用ヘッダー部８に貫通して配設されるとともに、流路変換用ヘッダー部８に貫通して突き出し配設された揚水管３の下端部分には揚水ポンプ４が吊り下げ支持されるように設けられている。【００２１】  この実施形態における流路変換用ヘッダー部８は金属製材料からなり、中央に揚水管３の下端部側が貫通されて配置される貫通孔部８０を有し、断面中空状のドーナツ形状からなる枠体８１にて形成されている。この枠体８１は、略円筒状の外周壁面部８２と環状の上側平面部８３と環状の下側平面部８４と筒状の内周壁面部８５とによって形成され、このようにこれら各面部８２，８３．８４，８５によって四方が囲まれた枠体８１によってドーナツ状の中空部８６が形成されている。なお、枠体８１はたとえば溶接などの手段によって各面部８２，８３．８４，８５が接合固定されている。
また筒状の内周壁面部８５は、その上端側が環状の上側平面部８３の表面部分より上側に向けて内周壁面部８５が適宜設定した所定の長さに突き出し形成されるとともに、その先端部に雄ネジ部による連結部８５Ａが形成されている。また筒状の内周壁面部８５の下端側も同様にして環状の下側平面部８４の表面部分より下側に向けて筒状の内周壁面部８５が適宜設定した所定の長さに突き出し形成されるとともに、その先端部に雄ネジ部による連結部８５Ａが形成されている。なお、本実施形態における流路変換用ヘッダー部８に貫通する筒状の内周壁面部８５としては、専用に製作した配管を用いることなく、一般的に用いられている揚水管３にて形成されている。【００２２】  また熱交換器５の流路変換用ヘッダー部８の外周部分である外周壁面部８２には、ケーシングパイプ２の長手方向に沿って揚水ポンプ４の電源コード４Ａを引き廻し配線する電源コード引き廻し凹設部８７が設けられている。これにより、揚水パイプ４から引き廻し案内される電源コード４Ａを電源コード引き廻し凹設部８７の凹み箇所に沿わせて配線処理することができ、地表側へと容易に引き廻し案内することができるように設けられている。【００２３】  また流路変換用ヘッダー部８には、断面中空状のドーナツ形状からなる枠体８１の上側平面部８３箇所に流入用採熱管６の下端部６Ａ側と流出用採熱管７の下端部７Ａ側とがそれぞれ連結される筒状からなる取付部８３Ａが設けられ、この取付部８３Ａを介して流入用採熱管６や流出用採熱管７が流路変換用ヘッダー部８の中空部８６部分とそれぞれ連通されるように設けられている。【００２４】  また上側平面部８３に設けられた取付部８３Ａには、柔軟性を有する合成樹脂製の流入用採熱管６と流出用採熱管７とを連結するためのソケットナットカプラーなどからなる接続部Ｃを介して各採熱管６，７が組み付け固定されるように設けられている。【００２５】  また流入用採熱管６側と接続される筒状の取付部８３Ａには、流路変換用ヘッダー部８の中空部８６の内部側に向けて流入用採熱管６の下端部６Ａ側の一部を形成するたとえば金属製材料にて形成した流入用採熱管６の末端部６Ｂがねじ込み固定されている。これにより筒状からなる流入用採熱管６の下端部６Ａの一部を形成する流入用採熱管６の末端部６Ｂ側は、取付部８３Ａを介して流路変換用ヘッダー部８の上側平面部８３から内側の中空部８６内に突き出し形成され、他方の流出用採熱管７の下端部７Ａ側は、流路変換用ヘッダー部８の上側平面部８３から内部側へと突出することなく形成されている。なお、図示はしないが流入用採熱管６側と接続される筒状の取付部８３Ａを流路変換用ヘッダー部８の上側平面部８３から内側の中空部８６内に適宜所定の長さに突き出し形成することにより、流入用採熱管６の下端部６Ａ側の一部を形成した流入用採熱管６の末端部６Ｂの機能を果たすようにしてもよい。【００２６】  また流路変換用ヘッダー部８の貫通孔部８０となる筒状の内周壁面部８５と接続して配置される揚水管３の下端部側は、流路変換用ヘッダー部８の上側に取り付けられる揚水管３の上部側３０と、流路変換用ヘッダー部８の下側に取り付けられる揚水管３の下部側３１とに分割形成されて��る。また上部側３０の揚水管３の端部には雄ネジ部からなる連結部３Ａが形成されるとともに、下部側３１の揚水管３の端部も同様にして雄ネジ部からなる連結部３Ａが形成されている。【００２７】  本実施形態においては、流路変換用ヘッダー部８の上端側の筒状の内周壁面部８５に設けられた雄ネジ部からなる連結部８５Ａと、上部側３０の揚水管３に形成された雄ネジ部からなる連結部３Ａとを連結するために雌ネジ部を有するソケットからなる連結固定部３００によってねじ込み固定されるように設けられている。また流路変換用ヘッダー部８の下端側の内周壁面部８５に形成された雄ネジ部からなる連結部８５Ａと、揚水ポンプ４が吊り下げ支持される下部側３１の揚水管３に形成された雄ネジ部からなる連結部３Ａとが、雌ネジ部を有するソケットからなる連結固定部３００によってねじ込み固定されるように設けられている。【００２８】  また地表側となる揚水管３の上端部側は、揚水井戸１のケーシングパイプ２の上端側開口部から外部へと案内され、揚水ポンプ４によって汲み上げられた地下水Ｗは、揚水管３に接続された切替バルブＶ等を介して例えば地下帯水層へと還元したり、消雪・融雪装置として熱源として利用したり、災害時の緊急用井戸水などとして利用することができるように設けられている。【００２９】  また地表側となる流入用採熱管６と流出用採熱管７との上端側は、ケーシングパイプ２の上端側開口部から外部へと引き出し案内されるとともに、流入用採熱管６と流出用採熱管７との間を連結するように配管された採熱配管９によって熱媒体Ｈが地下水熱集熱用循環ポンプＰの駆動により循環される。この場合、たとえば採熱配管９による地下水熱を熱源として地上に設けられた地下水熱利用ヒートポンプＨＰへと伝達するように設けることによって外部機器Ｅである冷暖房装置や融雪装置あるいは給湯機器などを稼動することができるように設けられている。【００３０】  また地表側である揚水井戸１のケーシングパイプ２の上端側開口部には、揚水管３の上端部側を保持しつつ揚水井戸１のケーシングパイプ２の上端側開口部を覆うように蓋部材１０が設けられている。なお本実施形態においては、流入用採熱管６と流出用採熱管７との上端側は蓋部材１０を介して地表部側へと引き出し案内されるように設けられている。【００３１】  また揚水井戸１内には、地下帯水層の地下水Ｗの水温を検知する温度センサＳが設置されている。【００３２】  このように構成された本実施形態における揚水井戸内熱交換装置を設置する手段としては、先ず地表から帯水層に達する所定の深さまで掘削し、掘削された揚水井戸１内にケーシングパイプ２を挿入して配設する。次いで、揚水井戸１のケーシングパイプ２内に配設される揚水ポンプ４と熱交換器５は、事前に流入用採熱管６と流出用採熱管７との下端部を取付部８３Ａを介して流路変換用ヘッダー部８にそれぞれ連通するように設けるとともに、揚水管３の下端部側は、熱交換器５の流路変換用ヘッダー部８の貫通孔部８０となる筒状の内周壁面部８５とに貫通して配設し、その貫通して配設された揚水管３の下端部側において、その上部側３０の揚水管３にて流路変換用ヘッダー部８を支持し、その下部側３１にて揚水ポン��４を吊り下げ支持することによって、揚水管３の下端部側を基準として揚水ポンプ４側と熱交換器５側とのそれぞれの各部品を取り付けながら一体化することが可能となり、一体化することによりコンパクトになるとともに組み付け強度をも高めることが可能となり、この組み付け状態において、揚水井戸１のケーシングパイプ２内に揚水ポンプ４と熱交換器５とをセットすることにより、揚水井戸内熱交換装置の設置作業が完了する。【００３３】  この際、本実施形態においては、流路変換用ヘッダー部８の貫通孔部８０となる筒状の内周壁面部８５に連結して配置される揚水管３の下端部側は、流路変換用ヘッダー部８の上側に取り付けられる揚水管３の上部側３０と、流路変換用ヘッダー部８の下側に取り付けられる揚水管３の下部側３１とに分割形成されており、揚水管３の上部側３０の端部に形成した雄ネジ部からなる連結部３Ａと、流路変換用ヘッダー部８の貫通孔部８０となる筒状の内周壁面部８５の上端側に形成された雄ネジ部からなる連結部８５Ａとを雌ネジ部を有するソケットからなる連結固定部３００にねじ込んで連結固定することにより、熱変換器５の流路変換用ヘッダー部８が揚水管３に固定支持される。また揚水管３の下端部３１の端部に形成した雄ネジ部からなる連結部３Ａと、流路変換用ヘッダー部８の貫通孔部８０となる筒状の内周壁面部８５の下端側に形成された雄ネジ部からなる連結部８５Ａとを雌ネジ部を有するソケットからなる連結固定部３００にねじ込んで連結固定することにより、その下部側にて揚水ポンプ４を吊り下げ支持することができるものであり、これにより揚水ポンプ４と熱交換器５との取り付け作業や取り外し作業を簡便に行うことができ、この組み付け時において、揚水井戸１のケーシングパイプ２内に揚水ポンプ４と熱交換器５とを順次セットすることができるため安価でしかも耐久性に優れた揚水井戸内熱交換装置を提供することができるものであり、また組み付けのための部品点数も低減することもできるためコストも抑えることができるという効果がある。【００３４】  また一般的に用いられている従前の施工と同様にして、本実施形態においても、各揚水管３の両端部にそれぞれ雄ネジ部からなる連結部３Ａが形成されており、揚水管３を連結固定する際は、揚水管３を突き合わせて各雄ネジ部の連結部３Ａ箇所を雌ネジ部を有するソケットからなる連結固定部３００によってねじ込みながら連結固定することにより、地表から帯水層に達する所定の深さまでの揚水井戸１の奥行き寸法に応じて、各揚水管３を繋げながら所定の長さとなるように連結して配管処理が行われる。この配管処理した後、揚水井戸１のケーシングパイプ２の開口部側を覆う蓋部材１０に揚水管３の上端部を固定保持することにより、揚水井戸１のケーシングパイプ２の上端開口部側である地表部側にて一連の揚水井戸内熱交換装置の設置作業が完了する。この際、本実施形態においては、流入用採熱管６と流出用採熱管７とを柔軟性を有する樹脂製のチューブにて形成しているため、地表から帯水層に達する所定の深さまでの揚水井戸１の奥行き寸法に応じて長さを設定することにより、連結することなく揚水井戸１の外部側へと引回し配設することが可能である。なお、熱���換効率を高めるために所定の長さの流出用採熱管６と流出用採熱管７とを金属パイプにて形成し、地表から帯水層に達する深さまでの揚水井戸１の奥行き寸法に応じて複数の各流入用採熱管６同志をそれぞれ連結固定するとともに、複数の各流出用採熱管７同志をそれぞれ連結固定し、地表部側へと採熱管６，７を引き廻し配設するようにしてもよい。【００３５】  このように揚水井戸１のケーシングパイプ２内に設置された揚水井戸内熱交換装置においては、地下水熱集熱用循環ポンプＰの作動によって、熱媒体Ｈが採熱配管９から流入用採熱管６を経て流路変換用ヘッダー部８のドーナツ形状からなる枠体８１によって形成された中空部８６内にて撹拌されながら流出用採熱管７へと伝達され、さらに採熱配管９へと伝達されることにより、熱媒体Ｈが熱交換器５内を循環する間にケーシングパイプ２内の地下水Ｗによる地下水熱との熱変換が行われる。これにより熱変換が行われた採熱配管９による熱源をヒートポンプＨＰへと伝達するように設けることによって、たとえば室内の冷暖房装置や給湯機器などの外部機器Ｅを安定した状態にて稼動することができる。【００３６】  また一般的に、揚水井戸１のケーシングパイプ２内に配設される揚水ポンプ４と熱交換器５の設置作業が完了した後において、特に初期の段階において使用する際には、熱交換器５の内部、特に流入用採熱管６と流出用採熱管７の内部に溜まりやすいエアーを抜く作業を行っている。この際、本実施形態においては、流路変換用ヘッダー部８に連通される流入用採熱管６の下端部６Ａ側の一部を形成する金属製材料からなる流入用流路採熱管６の末端部６Ｂを流路変換用ヘッダー部８の内部側である流路変換用ヘッダー部８の上側平面部８３から内側の中空部８６内へと突き出し配設してなることにより、流入用採熱管６に熱媒体Ｈを送り込むことによって熱媒体Ｈに混入しているエアーを流入用採熱管６の下端部６Ａに形成した末端部６Ｂから熱媒体Ｈとともに押し出すことができ、この際、押し出されたエアーは流入用採熱管６から流路変換用ヘッダー部８の内部側である中空部８６へと熱媒体Ｈとともに押し出されるため、流路変換用ヘッダー部８の上側である上側平面部８３の内面側へとエアーが浮き上がり、流出用採熱管７を介してケーシングパイプ２の上端側開口部へと押し出されるものであり、これにより一連のエアー抜き作業を良好に行うことができる。【００３７】  また、流路変換用ヘッダー部８の下端部に設置される揚水ポンプ４をケーシングパイプ２の軸芯位置Ｇに沿うように配置するとともに、揚水管３もケーシングパイプ２の軸芯位置Ｇに沿うように配置してなることにより、地下水Ｗはケーシングパイプ２の中心位置に配置されている揚水ポンプ４から吸い上げられるため、ほぼ均等に回りから吸入することができ安定した地下水Ｗの供給を行うことができるものであり、また揚水管３もケーシングパイプ２の軸芯位置Ｇに沿うように配置してなることによりケーシングパイプ２内において、流入用採熱管６と流出用採熱管７との配管を軸芯位置Ｇの領域を除いて自由に選択して配管することができる。【００３８】  また、揚水井戸１内には、地下帯水層の地下水Ｗの水温を検知する温度センサＳを設けてなる��とにより、たとえば冬場などにおいて地下帯水層の地下水Ｗの水温が所定の温度以下になった場合、ケーシングパイプ２内の下部側に配設した温度センサＳによって検知することによって揚水ポンプ４を作動させて地下水Ｗを汲み上げることによりケーシングパイプ２内の地下水Ｗを流動させることができ、流入用採熱管６と流出用採熱管７と流路変換用ヘッダー部８とからなる熱交換器５の周囲の温度を所定の温度まで上昇させることができる。また夏場などにおいて地下帯水層の地下水Ｗの水温が所定の温度以上になった場合は、ケーシングパイプ２内の上部側に配設した温度センサＳによって揚水ポンプ４を作動させて地下水Ｗを汲み上げることによりケーシングパイプ２内の地下水Ｗを流動させ、流入用採熱管６と流出用採熱管７と流路変換用ヘッダー部８とからなる熱交換器５の周囲の温度を所定の温度に下げることができるものであり、これにより熱媒体Ｈによる地下水熱を効率よく地上に設けられた地下水熱利用ヒートポンプＨＰへとそれぞれ伝達することができる。【００３９】  また図６（Ａ），（Ｂ），（Ｃ）は本実施形態における変形例を示すもので、基本的には熱交換器の一部を構成する流路変換用ヘッダー部８に流入用採熱管６と流出用採熱管７との下端部をそれぞれ連通するように設けることにより簡単に熱交換器を形成することができる点において共通であり、図６（Ａ）は第一の実施形態である小型軽量タイプの揚水井戸内熱交換装置を示しており、また図６（Ｂ）は、揚水ポンプ４および流路変換用ヘッダー部８の奥行き寸法を若干長く形成することによって熱交換効率を高めることができるようにしたものであり、また図６（Ｃ）は、揚水ポンプ４および流路変換用ヘッダー部８の容量を大きくし、揚水ポンプ４によって汲み上げられる地下水Ｗによって、たとえば消雪・融雪装置として熱源として利用する際に大型化を可能とするとともに、流路変換用ヘッダー部８の容量を増やすことで、熱媒体Ｈが熱交換器５内を循環する間にケーシングパイプ２内の地下水Ｗによる地下水熱との熱変換が行われる全体の容量も増加することができ、これにより熱変換が行われた採熱配管９による熱源をヒートポンプＨＰへと伝達し、ヒートポンプＨＰを介して、たとえば室内の冷暖房装置や給湯機器などの外部機器Ｔをさらに安定した状態にて稼動することができる。この際、流路変換用ヘッダー部８の外径寸法や流路変換用ヘッダー部８の奥行き寸法の設定あるいは流路変換用ヘッダー部８の熱伝導率の異なる金属材料の選定によって熱変換効率を高めることが可能である。また図示はしないが、たとえば流入用採熱管６と流出用採熱管７とをケーシングパイプ２内の地下水Ｗと接する領域を増やすために柔軟性材料からなる採熱管６，７をたとえば螺旋状にあるいは九十九折りに引き廻し配設することで熱変換効率を高めることが可能である。【００４０】  また図７から図１３は、本発明の第二の実施形態を示すものであり、前述した図１から図６に示す第一の実施形態と基本的な揚水井戸内の熱交換器の構造については同様であるため、同一部分、均等部分については同一符号を付して説明する。【００４１】  同図において、本実施形態における揚水井戸内熱交換装置は、揚水井戸１のケーシ��グパイプ２内に配設され地下帯水層の地下水Ｗを揚水管３によって汲み上げる揚水ポンプ４に加えて、前記ケーシングパイプ２内に配設されて地下水熱との熱交換が行われる熱交換器５と、を備えている点で、前述した第一の実施形態と同様である。【００４２】  本実施形態における熱交換器５は、ケーシングパイプ２の上端側開口部から熱媒体Ｈを流入するための複数個からなる流入用採熱管６と、ケーシングパイプ２の上端側開口部へと熱媒体Ｈを流出するための複数個からなる流出用採熱管７と、各流入用採熱管６と各流出用採熱管７との下端側がそれぞれ連通するように設けられた流路変換用ヘッダー部８と、によって形成されている。なお、本実施形態においては、流入用採熱管６の個数としては４個、流出用採熱管７も同様に４個設けられている。【００４３】  また揚水管３の下端部は、熱交換器５の流路変換用ヘッダー部８に貫通して配設されるとともに、流路変換用ヘッダー部８に貫通して突き出し配設された揚水管３の下端部分には揚水ポンプ４が吊り下げ支持されるように設けられている。【００４４】  この実施形態における流路変換用ヘッダー部８は、中央に揚水管３の下端部側が貫通されて配置される貫通孔部８０を有し、断面中空状のドーナツ形状からなる枠体８１にて形成されている。この枠体８１は、略円筒状の外周壁面部８２と環状の上側平面部８３と環状の下側平面部８４と筒状の内周壁面部８５とにとって形成され、このように各面部８２，８３．８４，８５によって四方が囲まれた枠体８１によってドーナツ状の中空部８６が形成されている。なお、枠体８１はたとえば溶接などの手段によって各面部８２，８３．８４，８５が接合固定されている。また筒状の内周壁面部８５は、その下端側が環状の下側平面部８４の裏面部分より下側に向けて筒状の内周壁面部８５が適宜設定した長さに突き出し形成されている。【００４５】  また熱交換器５の流路変換用ヘッダー部８の外周部分である略円筒状の外周壁面部８２には、前述した第一の実施形態と同様にして、ケーシングパイプ２の長手方向に沿って揚水ポンプ４の電源コード４Ａを引き廻し配線する電源コード引き廻し凹設部８７が設けられている。これにより、揚水パイプ４から引き廻し案内される電源コード４Ａを電源コード引き廻し凹設部８７の凹み箇所に沿わせて配線処理することができ、電源コード４Ａを地表側へと容易に引き廻し案内することができる。【００４６】  また流路変換用ヘッダー部８には、環状の上側平面部８３の上面側に、上側平面部８３とほぼ同形状からなるプレート８８が載置されるとともに、このプレート８８箇所に流入用採熱管６の下端部６Ａ側と流出用採熱管７の下端部７Ａ側とがそれぞれ連結される筒状の取付部８８Ａが４箇所ずつ溶接などの手段によって上下方向に突き出して設けられており、この各取付部８８Ａの位置に対応して流路変換用ヘッダー部８の上側平面部８３に各開口孔部８３Ｂが設けられている。また各開口孔部８３Ｂを介して取付部８８Ａに連結された各流入用採熱管６側と流路変換用ヘッダー部８の中空部８６とがそれぞれ連通するように設けられている。また各開口孔部８３Ｂを介して取付部８８Ａに連結された各流出用採熱管７側も流入用採熱管６側と同様���して、各流出用採熱管７側と流路変換用ヘッダー部８の中空部８６とがそれぞれ連通するように設けられている。なお、プレート８８と上側平面部８３に設けられた開口孔部８３Ｂとの間には水密に保つためのパッキング８９が介在されている。【００４７】  また本実施形態においては、各流入用採熱管６側と接続される筒状の取付部８８Ａの下端部は、パッキング８９と、流路変換用ヘッダー部８の上側平面部８３に設けられた開口孔部８３Ｂとを介して中空部８６内に突き出し形成され、他方の流出用採熱管７側と接続される筒状の取付部８８Ａの下端部は、パッキング８９と、流路変換用ヘッダー部８の上側平面部８３に設けられた開口孔部８３Ｂとを介して中空部８６の内部側へと突出することなくほぼ同一平面状に配設されるように形成されている。なお、プレート８８と流路変換用ヘッダー部８の上側平面部８３とは、パッキング８９を介してビスやネジ，ボルトなどの固定部材Ｂによって水密を保つように固定されている。【００４８】  またプレート８８に設けられた筒状の取付部８８Ａには、流入用採熱管６と流出用採熱管７とを連結するためのソケットナットカプラなどからなる接続部Ｃを介して組み付け固定されるように設けられている。【００４９】  また流入用採熱管６側と接続されるプレート８８に設けられた筒状の取付部８８Ａの下端部側には、流路変換用ヘッダー部８の中空部８６部分に向けて柔軟性を有するチューブ状からなる流入用採熱管６の下端部６Ａの一部を形成する末端部６Ｃが差し込み固定され、締結バンドＤにより末端部６Ｃが抜け止め保持されている。【００５０】  また流路変換用ヘッダー部８の貫通孔部８０となる筒状の内周壁面部８５に貫通して配置される揚水管３の下端部側は、流路変換用ヘッダー部８の下部側の位置を基準として上側に取り付けられる揚水管３の上部側３０と、流路変換用ヘッダー部８の下側に取り付けられる揚水管３の下部側３１とに分割形成されている。また上部側３０の揚水管３の端部には雄ネジ部からなる連結部３Ａが形成されるとともに、下部側３１の揚水管３の端部も同様にして雄ネジ部からなる連結部３Ａが形成されている。【００５１】  この実施形態においては、流路変換用ヘッダー部８の貫通孔部８０の上側から差し込まれて配置される揚水管３の上部側３０と、流路変換用ヘッダー部８の貫通孔部８０の下側から差し込まれて配置される揚水ポンプ４が吊り下げ支持される揚水管３の下部側３１とは、流路変換用ヘッダー部８の貫通孔部８０となる筒状の内周壁面部８５の下端側の内壁箇所に溶接などの手段によって接合された雌ネジ部を有するソケットからなる連結固定部３０１にねじ込み固定されるように設けられている。
この場合、揚水管３の上部側３０の端部に形成された雄ネジ部からなる連結部３Ａが、流路変換用ヘッダー部８の筒状の内周壁面部８５の内壁箇所に接合された雌ネジ部によるソケットからなる連結固定部３０１にねじ込み固定され、同様に揚水管３の下部側３１の端部に形成された雄ネジ部からなる連結部３Ａが、流路変換用ヘッダー部８の筒状の内周壁面部８５の内壁箇所に接合された雌ネジ部によるソケットからなる連結固定部３０１にねじ込み固定され、これにより揚水管３の下端部側において、その上部側３０にて流路変換用ヘッダー部８が支持され、その下部側３１にて揚水ポンプ４が吊り下げ支持される。【００５２】  また地表側となる揚水管３の上端部側は、前述した第一の実施形態と同様にして、揚水井戸１のケーシングパイプ２の上端側開口部から外部へと案内され、揚水ポンプ４によって汲み上げられた地下水Ｗは、揚水管３に接続された切替バルブＶ等を介して例えば地下帯水層へと還元したり、消雪・融雪装置として熱源として利用したり、災害時の緊急用井戸水などとして利用することができるように設けられている。【００５３】  また流路変換用ヘッダー部８に連通された各流入用採熱管６と各流出用採熱管７とのそれぞれの上端側は、ケーシングパイプ２の上端側開口部から外部へと引き出し案内されるとともに、ケーシングパイプ２内に配設されて地下水熱との熱交換が行われるようにそれぞれ設定した単一の流入用採熱管６と流出用採熱管７との間を連結するように配管された採熱配管９によって熱媒体Ｈの流路が設定され、その採熱配管９の途上に設けられた地下水熱集熱用循環ポンプＰの駆動により熱媒体Ｈが循環される。【００５４】  本実施形態においては、４つの組み合わせによる単一の流入用採熱管６と流出用採熱管７とを一対とする熱媒体Ｈの流路が形成されるものであり、それぞれの循環路には採熱配管９と地下水熱集熱用循環ポンプＰが設けられている。【００５５】  この場合、たとえば採熱配管９による地下水熱を熱源として地上に設けられた地下水熱利用ヒートポンプＨＰへと伝達するように設けることによって外部機器Ｅである冷暖房装置や融雪装置あるいは給湯機器などを個別に稼動することができる。【００５６】  また、揚水井戸１のケーシングパイプ２の上端側開口部には、前述した第一の実施形態と同様にして、地表側である揚水井戸１のケーシングパイプ２の上端側開口部には、揚水管３の上端部側を保持しつつ揚水井戸１のケーシングパイプ２の上端側開口部を覆うように蓋部材１０が設けられている。なお本実施形態においても、各流入用採熱管６と各流出用採熱管７との上端側は蓋部材１０を介して地表部側へと引き出し案内されるように設けられている。【００５７】  また揚水井戸１内には、ケーシングパイプ２内に地下帯水層の地下水Ｗの水温を検知する温度センサＳが上部側と下部側とにそれぞれ設置されるとともに、揚水井戸１のケーシングパイプ２内にはさらに水位を検知する水位センサＳ１、Ｓ２が下部側と上部側にそれぞれ設置されている。【００５８】  このように構成された本実施形態においては、揚水井戸内熱交換装置を設置する手段としては、先ず地表から帯水層に達する所定の深さまで掘削し、掘削された揚水井戸１���にケーシングパイプ２を挿入して配設する。次いで、揚水井戸１のケーシングパイプ２内に配設される揚水ポンプ４と熱交換器５は、事前に各流入用採熱管６と各流出用採熱管７との下端部を流路変換用ヘッダー部８にそれぞれ連通するように設け、揚水管３の下端部側を、熱交換器５の流路変換用ヘッダー部８に貫通して配設し、その貫通して配設された揚水管３の下端部側において、その上部側３０の揚水管３にて流路変換用ヘッダー部８を支持し、その下部側３１の揚水管３にて揚水ポンプ４を吊り下げ支持することによって、揚水管３の下端部側を基準として揚水ポンプ４側と熱交換器５側とのそれぞれの各部品を取り付けながら一体化することができ、一体化することによりコンパクトになるとともに組み付け強度をも高めることが可能となり、揚水ポンプ４と熱交換器５との組み付け状態において、揚水井戸１のケーシングパイプ２内に揚水ポンプ４と熱交換器５とをセットすることにより、揚水井戸内熱交換装置の設置作業が完了する。【００５９】  この際、本実施形態においては、流路変換用ヘッダー部８の貫通孔部８０となる筒状の内周壁面部８５に貫通して配置される揚水管３の下端部側は、流路変換用ヘッダー部８の上側に取り付けられる揚水管３の上部側３０と、流路変換用ヘッダー部８の下側に取り付けられる揚水管３の下部側３１とに分割形成されており、この分割形成された揚水管３の上部側３０は流路変換用ヘッダー部８の貫通孔部８０の上側から差し込みながら連結固定部３０１に揚水管３の上部側３０の連結部３Ａをねじ込み固定することによって熱交換機５の流路変換用ヘッダー部８を揚水管３に支持することができ、また揚水管３の下部側３１は流路変換用ヘッダー部８の貫通孔部８０の下側から差し込みながら連結固定部３０１に揚水管３の下部側３１の連結部３Ａをねじ込み固定することによって揚水ポンプ４を下部側にて吊り下げ支持することができるものであり、これにより揚水ポンプ４と熱交換器５との取り付け作業や取り外し作業を簡便に行うことができ、この組み付け時において、揚水井戸１のケーシングパイプ２内に揚水ポンプ４と熱交換器５とを順次セットすることができるため安価でしかも耐久性に優れた揚水井戸内熱交換装置を提供することができるものであり、また組み付けのための部品点数も低減することもできるためコストも抑えることができるという効果がある。【００６０】  また流路変換用ヘッダー部８のドーナツ形状からなる枠体８１によって形成された中空部８６に連通される流入用採熱管６と流出用採熱管７とを複数個それぞれ設けるとともに、ケーシングパイプ２内に配設されて地下水熱との熱交換が行われるようにそれぞれ設定した単一の流入用採熱管６と流出用採熱管７とを一対とする熱媒体Ｈの流路を形成してなることにより、一箇所に設けられた揚水井戸１からケーシングパイプ２内に配設されて地下水熱との熱交換が行われるようにそれぞれ設定した単一の流入用採熱管６と流出用採熱管７とを一対とする熱媒体Ｈの流路を形成することによって、それぞれ分岐させた状態にて指定した箇所のみを熱交換器５を介して分配して熱媒体の熱を伝達することができるものであり、揚水井戸１の許容範囲内にて効率よく有効に稼働することができる。【００６１】  また一般的に、揚水井戸１のケーシングパイプ２内に配設される揚水ポンプ４と熱交換器５の設置作業が完了した後において、特に初期の段階において使用する際には、熱交換器５の内部、特に流入用採熱管６と流出用採熱管７の内部に溜まりやすいエアーを抜く作業を行っている。この際、本実施形態においては、流路変換用ヘッダー部８に連通される各流入用採熱管６の下端部６Ａの一部を形成する末端部６Ｃを流路変換用ヘッダー部８の内部側である流路変換用ヘッダー部８の上側平面部８３から内側の中空部８６内へと突き出し配設してなることにより、流入用採熱管６に熱媒体Ｈを送り込むことによって熱媒体Ｈに混入しているエアーを各流入用採熱管６の下端部６Ａである末端部６Ｃから熱媒体Ｈとともに押し出すことができ、この際、押し出されたエアーは各流入用採熱管６から流路変換用ヘッダー部８の内部側である中空部８６へと熱媒体Ｈとともに押し出されるため、流路変換用ヘッダー部８の上側である上側平面部８３の内面側へとエアーが浮き上がり、各流出用採熱管７を介してケーシングパイプ２の上端側開口部へと押し出されるものであり、これにより一連のエアー抜き作業を良好に行うことができる。加えて、吐出する位置を流入用採熱管６の下端部６Ａの一部を形成する柔軟性を有するチューブ状からなる末端部６Ｃの引回し位置や末端部６Ｃの長さや横方向への屈曲などにより配設する位置関係を任意に設定することによってエアー抜きとともに熱媒体Ｈの流入から流出までの流れの道筋を誘導することも可能である。【００６２】  またエアー抜き作業とは別にして、流路変換用ヘッダー部８のドーナツ形状からなる枠体８１によって形成された中空部８６に連通される流入用採熱管６と流出用採熱管７を複数個それぞれ設け、流路変換用ヘッダー部８に連通される各流入用採熱管６の下端部６Ａの一部を形成する末端部６Ｃを流路変換用ヘッダー部８の内部側である流路変換用ヘッダー部８の上側平面部８３から内側の中空部８６内へとそれぞれ突き出し配設し、かつ、それぞれ設定した単一の流入用採熱管６と流出用採熱管７とを一対とする熱媒体Ｈの流路を形成してなることにより、それぞれ個別に設けられた地下水熱集熱用循環ポンプＰの作動によって、熱媒体Ｈが採熱配管９から流入用採熱管６の下端部６Ａの一部を形成する末端部６Ｃを経て流路変換用ヘッダー部８のドーナツ形状からなる枠体８１によって形成された中空部８６内にて撹拌しながら流出用採熱管７へと伝達することができ、熱媒体Ｈが熱交換器５内を循環する間にケーシングパイプ２内の地下水Ｗによる地下水熱との熱変換が行われ、これにより熱変換が行われた採熱配管９による熱源を効率よくヒートポンプＨＰへと伝達することができる。【００６３】  また、流路変換用ヘッダー部８の下端部に設置される揚水ポンプ４をケーシングパイプ２の軸芯位置Ｇに沿うように配置するとともに、揚水管３もケーシングパイプ２の軸芯位置Ｇに沿うように配置してなることにより、揚水ポンプ４から吸い上げられる地下水Ｗはケーシングパイプ２の中心位置に配置されているため、ほぼ均等に回りから吸入することができ安定した地下水Ｗの供給を行うことができるものであり、また揚水管３もケーシングパイプ２の軸芯位置Ｇに沿うように配置してなることによりケーシングパイプ２内において、各流入用採熱管６と各流出用採熱管７との配管を軸芯位置Ｇの領域を除いて自由に選択して配管することができる。【００６４】また、前述した第一の実施形態と同様にして、揚水井戸１内には、地下帯水層の地下水Ｗの水温を検知する温度センサＳを設けてなることにより、たとえば冬場などにおいて地下帯水層の地下水Ｗの水温が所定の温度以下になった場合、ケーシングパイプ２内の下部側に配設した温度センサＳによって検知することによって揚水ポンプ４を作動させて地下水Ｗを汲み上げることによりケーシングパイプ２内の地下水Ｗを流動させることができ、流入用採熱管６と流出用採熱管７と流路変換用ヘッダー部８とからなる熱交換器５の周囲の温度を所定の温度まで上昇させることができ、その所定の温度に達した時に温度センサＳを介して揚水ポンプ４を停止する。また夏場などにおいて地下帯水層の地下水Ｗの水温が所定の温度以上になった場合は、ケーシングパイプ２内の上部側に配設した温度センサＳによって揚水ポンプ４を作動させて地下水Ｗを汲み上げることによりケーシングパイプ２内の地下水Ｗを流動させ、流入用採熱管６と流出用採熱管７と流路変換用ヘッダー部８とからなる熱交換器５の周囲の温度を所定の温度に下げることができるものであり、その所定の温度に達した時に温度センサＳを介して揚水ポンプ４を停止する。これにより熱媒体Ｈによる地下水熱を効率よく地上に設けられた地下水熱利用ヒートポンプＨＰへとそれぞれ伝達することができる。【００６５】  また、揚水井戸１内には、地下帯水層の地下水Ｗの水量を検知する水位センサＳ１，Ｓ２をケーシングパイプ２内に設けてなることにより、たとえば地下帯水層の地下水Ｗの水量が所定の水位以下になった場合、下部側に設置された水位センサＳ１により検知することによって揚水ポンプ４の駆動状態を停止させ、これによりケーシングパイプ２内に設置した揚水ポンプ４の空運転を防止でき、揚水ポンプ４を保護することができるものであり、また上部側に設置したセンサＳ２の位置まで地下水Ｗの水位が上昇して所定の水量となったときに、センサＳ２により検知することによって揚水ポンプ４が復帰作動するものであり、通常の駆動状態にて地下水Ｗを汲み上げることができる。【００６６】  また図１４から図１９は、本発明の第三の実施形態を示すものであり、前述した第一の実施形態や第二の実施形態と基本的な揚水井戸内の熱交換器の構造については同様であるため、同一部分、均等部分については同一符号を付して説明する。【００６７】  同図において、本実施形態における揚水井戸内熱交換装置は、揚水井戸１のケーシングパイプ２内に配設され地下帯水層の地下水Ｗを揚水管３によって汲み上げる揚水ポンプ４に加えて、前記ケーシングパイプ２内に配設されて地下水熱との熱交換が行われる熱交換器５と、を備えている点で、前述した各実施形態と同様である。【００６８】  本実施形態においても、一般的に用いられている従前の施工と同様にして、各揚水管３の両端部にそれぞれ雄ネジ部からなる連結部３Ａが形成されており、揚水管３を連結固定する際は、揚水管３を突き合わせ���各雄ネジ部の連結部３Ａ箇所を雌ネジ部を有するソケットからなる連結固定部３００によってねじ込みながら連結固定することにより、地表から帯水層に達する所定の深さまでの揚水井戸１の奥行き寸法に応じて、各揚水管３を繋げながら所定の長さとなるように連結して配管処理が行われる。【００６９】  ところで本実施形態においては、揚水井戸１のケーシングパイプ２の外径寸法が小さいコンパクトな小型の揚水井戸内熱交換装置を提供することを目的とするものであり、この場合、揚水ポンプ４から吸い上げられる地下水Ｗの水量を保つためには所定の外径を有する揚水管３をケーシングパイプ２内に挿通する必要がある。このため、図１５などに示すように、ケーシングパイプ２の外径寸法に対し、ケーシングパイプ２内に配設される揚水管３の外径寸法も比較的に大きなものとなるため、揚水管３をケーシングパイプ２の軸芯位置Ｇから外れた箇所、すなわちケーシングパイプ２の内部側の際に寄せて設置し、この揚水管３を配設したケーシングパイプ２内の他の余剰スペースに流入用採熱管６と流出用採熱管７との配管を行うように設けている。【００７０】  従って本実施形態における熱交換器５においては、流路変換用ヘッダー部８は、ケーシングパイプ２の中央の軸芯位置Ｇから外れた箇所に揚水管３が設置されているため、これに合わせてケーシングパイプ２の中央の軸芯位置Ｇから外れた箇所に揚水管３の下端部側と接続されて配置されるように貫通孔部８０を配置するとともに、この貫通孔部８０によって偏芯した断面中空状のドーナツ形状からなる枠体８１にて形成している。この枠体８１は、略円筒状の外周壁面部８２と偏芯した環状の上側平面部８３と偏芯した環状の下側平面部８４と筒状の内周壁面部８５とによって形成され、このように各面部８２，８３．８４，８５によって四方が囲まれた枠体８１によって偏芯したドーナツ状の中空部８６が形成されている。なお、枠体８１はたとえば溶接などの手段によって接合固定されている。【００７１】  また筒状の内周壁面部８５は、その上端側が環状の上側平面部８３の表面部分より上側に向けて筒状の内周壁面部８５が適宜設定した所定の長さに突き出し形成されるとともに、その先端部に雄ネジ部による連結部８５Ａが形成されている。また筒状の内周壁面部８５の下端側も同様にして環状の下側平面部８４の表面部分より下側に向けて筒状の内周壁面部８５が適宜設定した所定の長さに突き出し形成されるとともに、その先端部に雄ネジ部による連結部８５Ａが形成されている。【００７２】  なお、本実施形態における流路変換用ヘッダー部８に貫通する筒状の内周壁面部８５としては、前述した第一の実施形態と同様にして、専用に製作した配管を用いることなく、一般的に用いられている揚水管３にて形成されている。【００７３】  また熱交換器５の流路変換用ヘッダー部８の外周部分である外周壁面部８２には、前述した各実施形態と同様にして、ケーシングパイプ２の長手方向に沿って揚水ポンプ４の電源コード４Ａを引き廻し配線する電源コード引き廻し凹設部８７が設けられている。これにより、揚水ポンプ４から引き廻し案内される電源コード４Ａを電源コード引き廻し凹設部８７の凹み箇所に沿わせて容易に引き廻し案内される。【００７４】  また流路変換用ヘッダー部８には、偏芯した断面中空状のドーナツ形状からなる枠体８１の上側平面部８３箇所に流入用採熱管６の下端部６Ａ側と流出用採熱管７の下端部７Ａ側とが連結される筒状からなる取付部８３Ａがそれぞれ設けられ、この各取付部８３Ａを介して流入用採熱管６および流出用採熱管７と流路変換用ヘッダー部８の偏芯したドーナツ状の中空部８６部分とが連通されるように設けられている。【００７５】  また偏芯した環状の上側平面部８３に設けられた筒状からなる取付部８３Ａには、柔軟性を有するたとえば樹脂製のチューブ状からなる流入用採熱管６と流出用採熱管７とを連結するためのソケットナットカプラーなどによる接続部Ｃを介して各採熱管６，７が組み付け固定されるように設けられている。【００７６】  また流入用採熱管６側と接続される筒状の取付部８３Ａには、前述した第一の実施形態と同様にして、流路変換用ヘッダー部８の中空部８６の内側箇所に向けてたとえば金属製材料からなる流入用採熱管６の下端部６Ａ側の一部を形成する流入用採熱管６の末端部６Ｂ側がねじ込み固定されている。これにより筒状からなる流入用採熱管６の下端部６Ａ側の一部を形成する流入用採熱管６の末端部６Ｂ側は、取付部８３Ａを介して流路変換用ヘッダー部８の上側平面部８３から内側の中空部８６内に突き出し形成され、他方の流出用採熱管７の下端部７Ａ側は、流路変換用ヘッダー部８の上側平面部８３から内部側へと突出することなく形成されている。【００７７】  また流路変換用ヘッダー部８の偏芯した貫通孔部８０と接続して配置される揚水管３の下端部側は、流路変換用ヘッダー部８の下端側の位置にて上部側３０Ａの揚水管３と下部側３１Ａの揚水管３とに分割形成されている。また上部側３０Ａの揚水管３の端部には雄ネジ部からなる連結部３Ａが形成されるとともに、揚水ポンプ４が吊り下げ支持される下部側３１Ａの揚水管３の端部も同様にして雄ネジ部からなる連結部３Ａが形成されている。【００７８】  本実施形態においては、下部側３１Ａの揚水管３を配管する際には、ケーシングパイプ２の中央の軸芯位置Ｇから流路変換用ヘッダー部８の筒状の内周壁面部８５の位置が外れて配置しているため、鉛直に形成されている揚水ポンプ４が吊り下げ支持される下部側３１Ａの揚水管３と直接連結することなく、偏芯パイプ３２を中継して流路変換用ヘッダー部８の貫通孔部８０の下側に接続するようにしている。【００７９】  この場合、偏芯パイプ３２は、ケーシングパイプ２の軸芯位置Ｇに沿うように揚水管３を緩やかに折れ曲げながら引き廻し形成しており、この偏芯パイプ３２の両端部には雄ネジ部からなる連結部３２Ａが形成され、この偏芯パイプ３２の上端部分の連結部３２Ａと流路変換用ヘッダー部８の貫通孔部８０となる筒状の内周壁面部８５に設けられた連結部８５Ａとをソケットからなる連結固定部３００によってねじ込み固定するとともに、偏芯パイプ３２の下端部分の連結部３２Ａと揚水ポンプ４が吊り下げ支持される下部側３１Ａの連結部３Ａとをソケットからなる連結固定部３００によってねじ込み固定することにより、偏芯パイプ３２の下端部分は、ケーシングパイプ２の軸心位置Ｇに沿うように配設される。【００８０】  このように軸芯位置Ｇを揃えた状態にて、偏芯パイプ３２を介して揚水ポンプ４が吊り下げ支持されるため、揚水ポンプ４から吸い上げられる地下水Ｗはケーシングパイプ２の中心位置において、ほぼ均等に回りから吸入することができ安定した地下水Ｗの供給を行うことができる。【００８１】  また揚水管３の上端部側は、前述した第一の実施形態などと同様にして、揚水井戸１のケーシングパイプ２の上端側開口部から外部へと引き出し案内され、揚水ポンプ４によって汲み上げられた地下水Ｗは、切替バルブＶ等を介して例えば地下帯水層へと還元したり、消雪・融雪装置として熱源として利用したり、災害時の緊急用井戸水などとして利用することができる。【００８２】  また流路変換用ヘッダー部８に連通された流入用採熱管６と流出用採熱管７との上端側は、ケーシングパイプ２の上端側開口部から外部へと引き出し案内されるとともに、流入用採熱管６と流出用採熱管７との間を連結するように配管された採熱配管９によって熱媒体Ｈの流路が設定され、その採熱配管９の途上に設けられた地下水熱集熱用循環ポンプＰの駆動により熱媒体Ｈが循環される。【００８３】  従って、本実施形態においては、前述した第一の実施形態などと同様の作用効果を得ることができるとともに、揚水ポンプ４から吸い上げられる地下水Ｗは、ケーシングパイプ２の軸芯位置Ｇに沿って揚水ポンプ４が配置されているため、ほぼ均一に地下水Ｗを吸入することができ、これにより安定した地下水Ｗの供給を行うことができる。また小型軽量化をねらいとし、ケーシングパイプ２の外径寸法を小さく設定した際に、偏芯パイプ３２によってケーシングパイプ２の軸芯位置Ｇから外れた箇所であるケーシングパイプ２の内壁に沿うように揚水管３を配置することができとともに、ケーシングパイプ２の軸芯位置Ｇに沿って揚水ポンプ４を配置することができるため、ケーシングパイプ２の内部の残りスペースにて流入用採熱管６と流出用採熱管７とを配設することができ、揚水井戸内熱交換装置の小型軽量化を達成することができる。なお、本実施形態においては、揚水管３を折り曲げて偏芯パイプ３２を形成していたが、既存の偏芯ソケットを用いてもよいものである【００８４】  なお図示はしないが、前述した実施形態と同様にして、揚水井戸１内には、地下帯水層の地下水Ｗの水量を検知する水位センサＳ１，Ｓ２をケーシングパイプ２内に設けてなることにより、たとえば地下帯水層の地下水Ｗの水量が所定の水位以下になった場合においては、下部側に設置された水位センサＳ１により水位を検知することによって揚水ポンプ４の駆動状態を停止させ、これによりケーシングパイプ２内に設置した揚水ポンプ４の空運転を防止でき、揚水ポンプ４を保護することができるものであり、また上部側に設置したセンサＳ２の位置まで地下水Ｗの水位が上昇して所定の水量となったときに、センサＳ２により揚水ポンプ４を復帰作動するものであり、これにより通常の駆動状態にて地下水Ｗを汲み上げることができる。【００８５】  また図示はしないが、前述した実施形態と同様にして、揚水井戸１内に、地下帯水層の地下水Ｗの水温を検知する温度センサＳを設けてなることにより、たとえば冬場などにおいて地下帯水層の地下水Ｗの水温が所定の温度以下になった場合、ケーシングパイプ２内の下部側に配設した温度センサＳによって検知することによって揚水ポンプ４を作動させて地下水Ｗを汲み上げることによりケーシングパイプ２内の地下水Ｗを流動させることができ、流入用採熱管６と流出用採熱管７と流路変換用ヘッダー部８とからなる熱交換器５の周囲の温度を所定の温度まで上昇させることができ、その所定の温度に達した時に温度センサＳを介して揚水ポンプ４を停止する。また夏場などにおいて地下帯水層の地下水Ｗの水温が所定の温度以上になった場合は、ケーシングパイプ２内の上部側に配設した温度センサＳによって揚水ポンプ４を作動させて地下水Ｗを汲み上げることによりケーシングパイプ２内の地下水Ｗを流動させ、流入用採熱管６と流出用採熱管７と流路変換用ヘッダー部８とからなる熱交換器５の周囲の温度を所定の温度に下げることができるものであり、その所定の温度に達した時に温度センサＳを介して揚水ポンプ４を停止する。これにより熱媒体Ｈによる地下水熱を効率よく地上に設けられた地下水熱利用ヒートポンプＨＰへとそれぞれ伝達することができる。
【産業上の利用可能性】
【００８６】  また、前述した各実施形態における揚水井戸内熱交換装置では、揚水管の下端部側を固定する手段としてねじ込み固定手段を採用していたが、これに限られるものではなく差し込み固定手段やバヨネット結合による固定手段等によって固定することも可能であり、また揚水ポンプ４によって汲み上げられた地下水Ｗは、揚水管３に接続された切替バルブＶ等を介して例えば地下帯水層へと還元したり、消雪・融雪装置として熱源として利用したり、災害時の緊急用井戸水などとして利用するようにしていたが、これに限られるものではなく、また採熱配管９による地下水熱を熱源として地上に設けられた地下水熱利用ヒートポンプＨＰへと伝達するように設けることによって外部機器Ｅである冷暖房装置や融雪装置あるいは給湯機器などを稼動することを例に説明していたが、これに限られるものではなく、床暖房や屋根融雪などにおいて利用することも可能である。
【符号の説明】
【００８７】  １  揚水井戸
２  ケーシングパイプ
３  揚水管
４  揚水ポンプ
４Ａ  電源コード
５  熱交換器
６  流入用採熱管
６Ａ  下端部
６Ｂ，６Ｃ  末端部
７  流出用採熱管
７Ａ  下端部
８  流路変換用ヘッダー部
９  採熱配管
１０  蓋部材
３０，３０Ａ  上部側
３１，３１Ａ  下部側
３２  偏芯パイプ
８０  貫通孔部
８１  ドーナツ形状からなる枠体
８２  筒状の外周壁面部
８３  環状の上側平面部
８３Ａ  取付部
８３Ｂ  開口部
８４  環状の下側平面部
８５  筒状の内周壁面部
８５Ａ  連結部
８６  ドーナツ状の中空部
８７  電源コード引き廻し凹設部
８８  プレート
８８Ａ  筒状の取付部
８９  パッキング
３００，３０１  連結固定部
Ｂ  固定部材
Ｃ  接続部
Ｄ  締結バンド
Ｅ  外部機器
Ｇ  軸芯位置
Ｈ  熱媒体
Ｐ  地下水熱集熱用循環ポンプ
Ｒ，Ｒ１，Ｒ２  連結固定部材
Ｓ  温度センサ
Ｓ１，Ｓ２  水位センサ
Ｖ  切替バルブ
Ｗ  地下水
ＨＰ  地下水熱利用ヒートポンプ
【図１】
2020046169.tif 000003
【図２】
2020046169.tif 000004
【図３】
2020046169.tif 000005
【図４】
2020046169.tif 000006
【図５】
2020046169.tif 000007
【図６】
2020046169.tif 000008
【図７】
2020046169.tif 000009
【図８】
2020046169.tif 000010
【図９】
2020046169.tif 000011
【図１０】
2020046169.tif 000012
【図１１】
2020046169.tif 000013
【図１２】
2020046169.tif 000014
【図１３】
2020046169.tif 000015
【図１４】
2020046169.tif 000016
【図１５】
2020046169.tif 000017
【図１６】
2020046169.tif 000018
【図１７】
2020046169.tif 000019
【図１８】
2020046169.tif 000020
【図１９】
2020046169.tif 000021
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
揚水井戸のケーシングパイプ内に配設され地下帯水層の地下水を揚水管によって汲み上げる揚水ポンプと、前記ケーシングパイプ内に配設されて地下水熱との熱交換が行われる熱交換器と、を備えた揚水井戸内熱交換装置において、
前記熱交換器は、前記ケーシングパイプの上端側開口部から熱媒体を流入するための流入用採熱管と、前記ケーシングパイプの上端側開口部へと熱媒体を流出するための流出用採熱管と、前記流入用採熱管と前記流出用採熱管との下端側がそれぞれ連通するように設けられた流路変換用ヘッダー部と、によって形成され、前記揚水管の下端部側は、実質的に前記流路変換用ヘッダー部に貫通して配設されるとともに、前記揚水管の下端部側において、その上部側にて前記流路変換用ヘッダー部を保持し、その下部側にて前記揚水ポンプを吊り下げ支持してなることを特徴とする揚水井戸内熱交換装置。
【請求項２】
前記揚水管の下端部側は、上部側と下部側とに分割形成され、前記揚水管の上部側と前記流路変換用ヘッダー部の上部側とを連結固定することにより、前記揚水管の上部側にて前記流路変換用ヘッダー部を保持し、前記揚水管の下部側と前記流路変換用ヘッダー部の下部側とを連結固定することにより、前記揚水管の下部側にて前記揚水ポンプを吊り下げ支持してなることを特徴とする請求項１に記載の揚水井戸内熱交換装置。
【請求項３】
前記流路変換用ヘッダー部に連通される前記流入用採熱管と前記流出用採熱管とを複数個それぞれ設けるとともに、前記ケーシングパイプ内に配設されて地下水熱との熱交換が行われるようにそれぞれ設定した単一の前記流入用採熱管と前記流出用採熱管とを一対とする熱媒体の流路を形成してなることを特徴とする請求項１または請求項２に記載の揚水井戸内熱交換装置。
【請求項４】
前記流路変換用ヘッダー部に連通される前記流入用採熱管の下端部を前記流路変換用ヘッダー部の内部側に突き出し配設してなることを特徴とする請求項１から請求項３のいずれか１項に記載の揚水井戸内熱交換装置。
【請求項５】
前記流路変換用ヘッダー部の下端部に設置される前記揚水ポンプを前記ケーシングパイプの軸芯位置に沿うように配置するとともに、前記揚水管も前記ケーシングパイプの軸芯位置に沿うように配置してなることを特徴とする請求項１から請求項４のいずれか１項に記載の揚水井戸内熱交換装置。
【請求項６】
径小なる前記ケーシングパイプ内に配設される前記揚水ポンプを前記ケーシングパイプの軸芯位置に沿うように配置するとともに、前記揚水管を前記ケーシングパイプの軸芯位置から外れた箇所に設置してなることを特徴とする請求項１から請求項４のいずれか１項に記載の揚水井戸内熱交換装置。